(57)【要約】【課題】タレントのスカウトに必要であった労力と費用を軽減する。【解決手段】タレント志望者の端末２１での登録操作に基づきタレント志望者に関する情報を蓄積する情報蓄積手段と、この情報蓄積手段に蓄積された情報の一部または全部をユーザ端末から閲覧可能とし、タレント志望者をネットタレントとしてネットワーク上で公表する公表手段と、ネットタレントに対するユーザ端末からのアクセス状況に応じてネットタレントのランク付け５１，５２，５３を行うランク付け手段とを備えている。このネットタレントのランク付けはタレントの人気を反映したものになっているので、タレントとして有望な人材を容易に発掘することができる。【選択図】        図３
2004171432.tif 000002
【特許請求の範囲】
【請求項１】
タレント志望者の端末での登録操作に基づき前記タレント志望者に関する情報を蓄積する情報蓄積手段と、
この情報蓄積手段に蓄積された前記情報の一部または全部をユーザ端末から閲覧可能とし、前記タレント志望者をネットタレントとしてネットワーク上で公表する公表手段と、
前記ネットタレントに対する前記ユーザ端末からのアクセス状況に応じて前記ネットタレントのランク付けを行うランク付け手段と
を備えたことを特徴とするタレント登録装置。
【請求項２】
請求項１に記載されたタレント登録装置において、
前記ランク付け手段は、前記ユーザ端末からのアクセスとして、前記ネットタレントの情報閲覧、前記ネットタレントのファンクラブヘの加入および前記ネットタレントの関連商品の販売の少なくとも１つに応じて前記ネットタレントのランク付けを行うことを特徴とするタレント登録装置。
【請求項３】
請求項２に記載されたタレント登録装置において、
前記ファンクラブヘの加入または前記関連商品の販売が行われたときに電子マネーを用いて決済を行うｅ決済処理手段を更に備えたことを特徴とするタレント登録装置。
【請求項４】
請求項３に記載されたタレント登録装置において、
前記ｅ決済処理手段は、前記ファンクラブヘの加入または前記関連商品の販売が行われたときに前記ネットタレントとして登録された前記タレント志望者へ電子マネーを用いてペイバックを行うことを特徴とするタレント登録装置。
【請求項５】
請求項１に記載されたタレント登録装置において、
前記タレント志望者をスカウトするスカウトマンに対する前記タレント志望者またはユーザの苦情を処理するスカウトマン管理機構を備えた端末が接続されることを特徴とするタレント登録装置。
【請求項６】
請求項１に記載されたタレント登録装置において、
前記タレント志望者をスカウトするスカウトマンを登録するとともに、登録された前記スカウトマンを前記タレント登録装置を介して公開するスカウトマン登録機構を備えた端末が接続されることを特徴とするタレント登録装置。
【請求項７】
請求項１に記載されたタレント登録装置において、
前記タレント志望者の心と体のケアを行うケア手段を更に備えたことを特徴とするタレント登録装置。
【発明の詳細な説明】
【０００１】
【発明の属する技術分野】
本発明は、タレントの発掘を容易にするタレント登録装置に関する。
【０００２】
【従来の技術】
今や芸能界は、歌手などの多くのタレントが活躍し、魅力的になっている。タレントのブロマイドなどの関連商品も数多く販売され、これらを買い求めて収集するファンも多い。近年は急速なデータ通信メディアの整備に伴い、インターネットなどを利用したタレントの関連商品の販売が行われつつある（例えば、特許文献１および２参照）。このインターネットなどを利用した商品販売の対象となるのは、すでに有名になったタレントである。このようなタレントには、スカウトされてデビューした人が多い。
【０００３】
【特許文献１】
特開２００１−２７３４０９公報
【特許文献２】
特開２０００−３３１０３０公報
【０００４】
【発明が解決しようとする課題】
しかし、一人のタレントをデビューさせるには、そのタレントのスカウトに極めて多くの労力と費用が必要となる。
本発明は、このような課題を解決するためになされたものであり、その目的は、タレントのスカウトに必要であった労力と費用を軽減することにある。
【０００５】
【課題を解決するための手段】
このような目的を達成するために、本発明のタレント登録装置は、タレント志望者の端末での登録操作に基づきタレント志望者に関する情報を蓄積する情報蓄積手段と、この情報蓄積手段に蓄積された情報の一部または全部をユーザ端末から閲覧可能とし、タレント志望者をネットタレントとしてネットワーク上で公表する公表手段と、ネットタレントに対するユーザ端末からのアクセス状況に応じてネットタレントのランク付けを行うランク付け手段とを備えたことを特徴とする。
このタレント登録装置において、ランク付け手段は、ユーザ端末からのアクセスとして、ネットタレントの情報閲覧、ネットタレントのファンクラブヘの加入およびネットタレントの関連商品の販売の少なくとも１つに応じてネットタレントのランク付けを行うようにしてもよい。
【０００６】
また、上述したタレント登録装置は、ファンクラブヘの加入または関連商品の販売が行われたときに電子マネーを用いて決済を行うｅ決済処理手段を更に備えるものであってもよい。
このｅ決済処理手段は、ファンクラブヘの加入または関連商品の販売が行われたときにネットタレントとして登録されたタレント志望者へ電子マネーを用いてペイバックを行う機能を有していてもよい。
【０００７】
また、上述したタレント登録装置に接続される端末には、タレント志望者をスカウトするスカウトマンに対するタレント志望者またはユーザの苦情を処理するスカウトマン管理機構が設けられていてもよい。
また、上述したタレント登録装置に接続される端末には、タレント志望者をスカウトするスカウトマンを登録するとともに、登録されたスカウトマンをタレント登録装置を介して公開するスカウトマン登録機構が設けられていてもよい。
また、上述したタレント登録装置は、タレント志望者の心と体のケアを行うケア手段を更に備えるものであってもよい。
【０００８】
【発明の実施の形態】
以下、図面を参照し、本発明の一実施の形態について詳細に説明する。
図１は、本発明の一実施の形態にかかるタレント登録装置を含むシステムの全体構成を示すブロック図である。
タレント登録装置１０は、タレント志望者をネットタレントとして登録するものである。このタレント登録装置１０は、タレント事務所のコンピュータにより構成され、インターネット４０などのネットワークを介してタレント志望者の登録用端末２１と、タレント情報の閲覧者のユーザ端末３０に接続される。また、タレント登録装置１０が属するタレント事務所のスカウトマンの登録用端末２２に直接接続されている。
【０００９】
タレント志望者の登録用端末２１では、タレント登録装置１０へアクセスして、タレント志望者が自由に自分をアピールし、売り込むための登録操作や、登録内容の変更操作が行われる。また、スカウトマンの登録用端末２２では、タレント事務所のスカウトマンなどにより、タレントの登録操作や登録内容の変更操作が行われる。
【００１０】
ユーザ端末３０には、一般のユーザ端末３１と、ファンクラブ会員のユーザ端末３２と、他のタレント事務所のユーザ端末３３とがある。一般のユーザ端末３１では、一般ユーザによるタレント情報の閲覧や、ファンクラブへの加入操作およびタレント関連商品の購入操作などが行われる。また、ファンクラブ会員のユーザ端末３２では、ファンクラブに加入した者だけに特典として認められるタレント情報の閲覧や、商品の購入操作が行われる。また、他のタレント事務所のユーザ端末３３では、他のタレント事務所やプロダクションなどによるタレント情報の閲覧や、タレントの各種イベント出演交渉や予約などの操作が行われる。
【００１１】
ここで、タレント登録装置１０について更に詳しく説明する。タレント登録装置１０は、タレント志望者の登録用端末２１での登録操作に基づきタレント志望者に関する情報を蓄積する情報蓄積手段と、この情報蓄積手段に蓄積された情報の一部または全部をユーザ端末３０から閲覧可能とし、タレント志望者をネットタレントとしてインターネット４０上で公表する公表手段と、ネットタレントに対するユーザ端末３０からのアクセス状況に応じてネットタレントのランク付けを行うランク付け手段とを備える。
図２は、このようなタレント登録装置１０の一構成例を示すブロック図である。このタレント登録装置１０は、入出力制御部１１と、コンテンツ制御部１２と、プログラム蓄積部１３と、タレント支援システム部１４と、商品販売支援システム部１５と、データ蓄積部１６と、ｅ決済処理部１７とから構成される。
【００１２】
ここで、入出力制御部１１は、タレント登録装置１０をインターネット４０に接続し、コンテンツ制御部１２との中継処理を行う。コンテンツ制御部１２は、インターネット４０を介してタレント登録装置１０に接続された端末２１，３０の画面表示をコンテンツプログラムにしたがって制御し、その端末２１，３０から送信された要求に応じてタレント支援システム部１４、商品販売支援システム部１５またはデータ蓄積部１６とやり取りを行うとともに、要求送信元に返信を行う。プログラム蓄積部１３は、上記コンテンツプログラムの蓄積を行う。
【００１３】
タレント支援システム部１４は、登録されているタレントの管理や、各タレントのファンクラブの管理、タレント志望者またはファンクラブ会員の認証を行う。タレント支援システム部１４はまた、タレント管理の一環として、タレントを人気に応じてランク付けする。このランク付けは、閲覧者のユーザ端末３０からのアクセス状況などを参照して行われる。商品販売支援システム部１５は、タレント関連商品の企画販売と販売管理や、ファンクラブ特典による販売管理を行う。データ蓄積部１６は、タレント情報や、ファンクラブの会員情報の蓄積を行う。ｅ決済処理部１７は、ファンクラブへの加入料、タレント関連商品の販売代金、タレントのイベント出演料などを電子マネーを用いて決済するとともに、これらの収入に応じて各タレントへ電子マネーを用いてペイバックする処理を行う。
【００１４】
次に、タレント登録装置１０を含むシステムの動作について説明する。
まず、図３および図４を参照し、タレント志望者の登録用端末２１からタレント登録装置１０へタレント志望の登録を行う際の動作について説明する。図３は、システム全体の動作を概念的に示す説明図である。図４は、タレント志望者の登録用端末２１からタレント志望の登録を行う際の動作の流れを示すフローチャートである。
タレント志望者の登録用端末２１からインターネット４０を介してタレント登録装置１０へアクセスすると、タレント登録装置１０においてコンテンツ制御部１２がコンテンツプログラムにしたがって登録用端末２１の画面にメインメニューを表示させる（図４，ステップＳ１）。
【００１５】
タレント志望の登録を行うときには（図４，ステップＳ２：登録）、登録用端末２１に表示されたメインメニューにしたがって、タレント志望者に関する情報を入力する（図４，ステップＳ３）。その情報がインターネット４０を介してタレント登録装置１０で受信されると、タレント支援システム部１４で会員番号が発行され、登録用端末２１へ返信される。続いて、タレント志望者が登録用端末２１からパスワードを入力し、そのパスワードがインターネット４０を介してタレント登録装置１０で受信されると、先に受信されたタレント志望者に関する情報が会員番号およびパスワードと一緒にデータ蓄積部１６に蓄積される。これによりタレント志望者がネットタレントとして登録される（図４，ステップＳ４）。また、タレント志望者に関する情報の一部または全部がユーザ端末３０から閲覧可能となり、タレント志望者がネットタレントとしてインターネット４０上で公表される。なお、パスワードの設定については、タレント支援システム部１４で仮のパスワードを発行し、これを閲覧者が適宜変更して正式なパスワードとしてもよい。
【００１６】
引き続きタレント志望者が写真または動画の設定を行うときには（図４，ステップＳ５：ＹＥＳ）、登録用端末２１から写真または動画のデータを入力する（図４，ステップＳ６）。そのデータがタレント登録装置１０で受信されると、写真または動画のデータはステップＳ３で入力されたタレント志望者に関する情報と一緒にデータ蓄積部１６に蓄積される。これにより写真または動画のデータが設定されてユーザ端末３０から閲覧可能となり（図４，ステップＳ７）、一連の登録動作が終了する。なお、写真または動画の設定を行わないときには（図４，ステップＳ５：ＮＯ）、そのまま終了する。
【００１７】
次に、登録内容の変更または登録抹消を行うときには（図４，ステップＳ２：変更・抹消）、登録用端末２１に表示されたメインメニューにしたがって、ステップＳ４で設定された会員番号およびパスワードを登録用端末２１から入力する（図４，ステップＳ８）。タレント登録装置１０では、インターネット４０を介して受信された会員番号およびパスワードを用いて認証処理がタレント支援システム部１４で行われる。その結果、タレント志望者本人であると認められたとき（図４，ステップＳ９：ＯＫ）、登録内容を変更する場合には（図４，ステップＳ１０：変更）、登録用端末２１からステップＳ３またはＳ６と異なった情報またはデータを入力することにより、登録内容が変更され、一連の変更動作が終了する。
【００１８】
一方、登録を抹消する場合には（図４，ステップＳ１０：抹消）、登録用端末２１に表示されたメインメニューにしたがって、登録抹消を要求する（図４，ステップＳ１１）。その要求がインターネット４０を介してタレント登録装置１０で受信されると、データ蓄積部１６に蓄積されているタレント志望者に関する情報等がタレント支援システム部１４により削除される。これによりタレント志望者の登録が抹消され（図４，ステップＳ１２）、一連の抹消動作が終了する。
なお、ステップＳ８において認証処理によりタレント志望者本人であると認められなかったとき（図４，ステップＳ９：ＮＧ）、またステップＳ１０において登録内容の変更および登録抹消の何れも行わなかったときには（図４，ステップＳ１０：ＮＯ）、そのまま終了する。
【００１９】
次に、図３および図５を参照し、ユーザ端末３０からタレント情報の閲覧を行う際の動作について説明する。図５は、ユーザ端末３０からタレント情報の閲覧を行う際の動作の流れを示すフローチャートである。
ユーザ端末３０からインターネット４０を介してタレント登録装置１０へアクセスすると、タレント登録装置１０においてコンテンツ制御部１２がコンテンツプログラムにしたがってユーザ端末３０の画面にメインメニューを表示させる（図５，ステップＳ２１）。
【００２０】
閲覧者が会員登録を行う場合には（図５，ステップＳ２２：ＹＥＳ）、ユーザ端末３０に表示されたメインメニュー上で会員登録を行う旨を入力すると、会員登録要求がユーザ端末３０からインターネット４０を介してタレント登録装置１０へ送信される。会員登録要求を受信したタレント登録装置１０では、コンテンツ制御部１２により会員番号が発行され、ユーザ端末３０へ返信される。続いて、閲覧者がユーザ端末３０にパスワードを入力し、このパスワードがインターネット４０を介してタレント登録装置１０で受信されると、パスワードが会員番号とともにデータ蓄積部１６に蓄積され、閲覧者が会員として登録される（図５，ステップＳ２３）。なお、パスワードの設定については、コンテンツ制御部１２で仮のパスワードを発行し、これを閲覧者が適宜変更して正式なパスワードとしてもよい。
閲覧者が既に会員登録されている場合には、メインメニュー上で会員登録を行わない旨を入力すればよい（図５，ステップＳ２２：ＮＯ）。
【００２１】
閲覧者がタレント情報を閲覧する際にはまず、ユーザ端末３０に表示されたメインメニュー上で、タレント登録装置１０に登録されているタレントの中から、閲覧を希望するタレントを選択する（図５，ステップＳ２４）。閲覧を希望するタレントを決定すると、そのタレントの閲覧要求がユーザ端末３０からタレント登録装置１０へ送信される。タレント登録装置１０では、タレントの閲覧要求が受信されると、コンテンツ制御部１２によりそのタレントの情報がデータ蓄積部１６から読み出され、ユーザ端末３０の画面に表示される。これにより、ユーザ端末３０でタレント情報を閲覧することができる（図５，ステップＳ２５）。
一方、タレント登録装置１０において、コンテンツ制御部１２により閲覧処理が行われると、その旨がタレント支援システム部１４へ通知され、閲覧があったことに対してＰ１ポイントが発生する（図５，ステップＳ２６）。このポイントはタレントのランク付けの計算に用いられる。
【００２２】
続いて閲覧者がタレントのファンクラブに加入する場合には（図５，ステップＳ２７：ＹＥＳ）、ユーザ端末３０に表示されたメインメニュー上でその旨を入力し、その閲覧者の会員番号およびパスワードを入力する（図５，ステップＳ２８）。タレント登録装置１０では、インターネット４０を介して受信された会員番号およびパスワードを用いてタレント支援システム部１４により認証処理が行われる。その結果、会員本人であると認められると（図５，ステップＳ２９：ＯＫ）、タレント支援システム部１４でファンクラブへの加入処理が行われ、ファンクラブへ加入した会員の情報がデータ蓄積部１６に蓄積される（図５，ステップＳ３０）。また、ファンクラブ加入があったことに対してＰ２ポイントが発生する（図５，ステップＳ３１）。このポイントもまた、タレントのランク付けの計算に用いられる。
【００２３】
なお、認証処理により会員本人であると認められなかったときには（図５，ステップＳ２９：ＮＧ）、ユーザ端末３０においてファンクラブ加入操作（図５，ステップＳ２７：ＹＥＳ、Ｓ２８）が再度必要となる。
また、閲覧者がタレントのファンクラブに加入しない場合には（図５，ステップＳ２７：ＮＯ）、メインメニュー上でその旨を入力すればよい。
【００２４】
続いて閲覧者がタレントの関連商品を購入する場合には（図５，ステップＳ３２：ＹＥＳ）、ユーザ端末３０に表示されたメインメニュー上で、購入する商品を選択する（図５，ステップＳ３３）。購入する商品を決定すると、その商品の購入要求がユーザ端末３０からタレント登録装置１０へ送信される。タレント登録装置１０では、商品の購入要求を受信すると、商品販売支援システム部１５でその商品の在庫を確認した上で、その商品の販売処理が行われる（図５，ステップＳ３４）。また、商品の販売処理が行われると、その旨がタレント支援システム部１４へ通知され、商品販売があったことに対してＰ３ポイントが発生する（図５，ステップＳ３５）。このポイントもまた、タレントのランク付けの計算に用いられる。以上により、一連の動作が終了する。
なお、閲覧者がタレントの関連商品を購入しない場合には（図５，ステップＳ３２：ＮＯ）、メインメニュー上でその旨を入力することにより、そのまま一連の動作が終了する。
【００２５】
次に、図３および図６を参照し、タレント登録装置１０のタレント支援システム部１４によるタレントのランク付け方法について説明する。図６は、ランク付け方法の流れを示すフローチャートである。
タレント志望者がまず「ネットタレント５１」として登録されることは上述した通りである（図６，ステップＳ４１）。「ネットタレント５１」として登録された後、所定期間Ｔ１を経過したら（図６，ステップＳ４２：ＹＥＳ）、その期間内にそのタレント情報の閲覧、ファンクラブ加入および関連商品販売によって発生したポイントＰ１，Ｐ２，Ｐ３を合計する（図６，ステップＳ４３）。ここで、その合計値が第１の閾値Ａを超えたら（図６，ステップＳ４４：ＹＥＳ）、「ネットタレント５１」の位置づけを「ネットアイドル５２」に格上げする（図６，ステップＳ４５）。なお、合計値が閾値Ａを超えなかったら（図６，ステップＳ４４：ＮＯ）、「ネットタレント５１」のままとする。
【００２６】
「ネットアイドル５２」に格上げした後、さらに所定期間Ｔ２が経過したら（図６，ステップＳ４６：ＹＥＳ）、またその期間内に発生したポイントを合計し（図６，ステップＳ４７）、その合計値が第２の閾値Ｂを超えたら（図６，ステップＳ４８：ＹＥＳ）、「ネットアイドル５２」の位置づけを今度は「ネットスター５３」に格上げする（図６，ステップＳ４９）。なお、合計値が閾値Ｂを超えなかったら（図６，ステップＳ４８：ＮＯ）、「ネットタレント５１」のままとする。
なお、所定期間内のポイント合計値が別の閾値を下回った場合には、位置づけを格下げし、最終的にはネットタレントとしての登録を抹消するようにしてもよい。また、タレント情報の閲覧、ファンクラブ加入、関連商品販売によって発生するポイントＰ１，Ｐ２，Ｐ３は一律である必要はなく、タレントの人気が適切に反映されるようにポイントが重み付けされていてもよい。
【００２７】
以上のように、本実施の形態によれば、タレント志望者がタレント登録装置１０にネットタレントとして登録されることにより、タレント志望者はタレント登録装置１０を運営するタレント事務所に所属することとなり、ネット上でプロモーションの場が与えられる。登録は誰でもできるので、アイドルを志すすべての人にアイドルへの道を与えることができる。なお、タレント志望者は、その人の各種情報、写真および動画なども登録可能であり、登録してから所定期間経過後に登録内容の変更や登録の抹消を行うこともできる。
【００２８】
一般のユーザやファンクラブ会員のユーザは、それぞれのユーザ端末３１，３２からインターネット４０を介して、タレント登録装置１０に登録されているタレントの情報を閲覧するこことができる。条件により検索表示も可能とする。
ユーザはまた、気に入ったタレントがいれば、そのタレントのファンクラブに加入することもできる（有料）。また、そのタレントの関連商品を購入することもできる。ファンクラブに入会すると、商品購入やチケット、写真などの割り引き購入や無料イベントなどの特典を受けられる。商品としては、ＣＤ、写真、写真集、チケットなどが販売される。さらに、チャットやメールによるコミュニケーションを行うこともできる。
【００２９】
他のタレント事務所やプロダクションでは、それぞれのユーザ端末３３からインターネット４０を介して、タレント登録装置１０に登録されているタレントの情報を閲覧し、気に入ったタレントがいればスカウトを行うことができ、また仕事の依頼や派遣依頼を行うこともできる。
【００３０】
タレント登録装置１０を運営するタレント事務所では、タレント登録装置１０に登録されているタレントを管理し、各タレントのアピールに努める。また、一般ユーザやファンクラブ会員の要望などを基に商品やイベントを企画し、商品の販売やイベントの開催を行う。また、タレント管理の一環として、ユーザ端末３０からのアクセス状況などにより、各タレントをランク付けする。したがって、一般のユーザやファンクラブ会員のユーザは、登録されているタレントの情報閲覧や、ファンクラブ加入、関連商品購入を通して、ネットタレント５１をネットアイドル５２、ネットスター５３へと成長させることができる。
上述したようにタレント登録装置１０で各タレントの人気を反映したランク付けを行い、また他のタレント事務所などのユーザ端末３３からタレント登録装置１０へランク毎にタレント情報の閲覧を可能とすることにより、多大な費用と労力を払わなくてもタレント志望者の中から有望な人材を容易に発掘でき、またスカウトマンとしての実力を十分に発揮できる。
【００３１】
タレント登録装置１０にネットタレントとして登録されたタレント志望者には、そのネットタレントのファンクラブへの加入や、関連商品の販売などが行われると、それによってタレント登録装置１０を運営するタレント事務所が得た利益に応じてペイバックが行われる。また、プロダクションや他のタレント事務所によりタレント登録装置１０への閲覧が行われ、仕事の依頼などがあったときには、タレント志望者はその仕事を行うことにより収入を得ることもできる。したがって、タレント志望者は、人気が出てくれば、それに応じた収入を得ることができる。
ネットタレントとして登録されたタレント志望者への報酬や、ファンクラブ加入および商品購入などでの料金の支払いは、ｅ決済で処理することとする。
【００３２】
なお、タレント登録装置１０に接続されるスカウトマンの登録用端末２２は、スカウトマン管理機構（図示せず）を有し、タレント志望者またはユーザからのスカウトマンに対する苦情を処理することにより、スカウトの質の向上を図ることができる。また、スカウトマンの登録用端末２２は、スカウトマン登録機構（図示せず）を有し、タレント志望者をスカウトするスカウトマンを登録することにより、スカウトマンの質の確保を図るとともに、登録スカウトマンをタレント登録装置１０を介して公開することにより、スカウトマンの認知度と信用度を上げ、スカウトの効率化を図ることができる。
タレント登録装置１０は、タレント志望者へのケア部（図示せず）をさらに有し、スカウトマンなどのフォローによりタレント志望者の心と身体のケアを行い、タレント志望者の向上に役立てることができる。
【００３３】
以上では、タレント登録装置１０が特定のタレント事務所に属する例を説明したが、タレント事務所から独立したＡＳＰ（Ａｐｐｌｉｃａｔｉｏｎ  Ｓｅｒｖｉｃｅ  Ｐｒｏｖｉｄｅｒ）がタレント登録装置１０の機能を果たし、タレント志望者の登録用端末２１からネットタレントとして登録できるとともに、ユーザ端末３０からタレント情報の閲覧などができるようにしてもよい。この場合、タレント登録装置がタレントのランク付けを行い、「ネットタレント５１」の位置づけが「ネットアイドル５２」に、または「ネットアイドル５２」の位置づけが「ネットスター５３」になったときに、ランクアップしたタレント志望者をタレント登録装置から各タレント事務所のユーザ端末３３へ自動的に紹介するようにしてもよい。
【００３４】
なお、上述したタレント登録装置１０は、コンピュータをプログラムで制御することにより実現することもできる。また、本発明はタレント登録装置またはこれを含むシステムの各処理動作を手順とするタレント登録方法として捉えられることは言うまでもない。
【００３５】
【発明の効果】
以上説明したように、本発明のタレント登録装置は、タレント志望者の端末での登録操作に基づきタレント志望者に関する情報を蓄積する情報蓄積手段と、この情報蓄積手段に蓄積された情報の一部または全部をユーザ端末から閲覧可能とし、タレント志望者をネットタレントとしてネットワーク上で公表する公表手段と、ネットタレントに対するユーザ端末からのアクセス状況に応じてネットタレントのランク付けを行うランク付け手段とを備えている。このネットタレントのランク付けはタレントの人気を反映したものになっているので、タレントとして有望な人材を容易に発掘することができる。よって、従来タレントのスカウトに必要であった労力と費用を軽減することができる。
【００３６】
また、ユーザ端末からのアクセスとして、ネットタレントの情報閲覧、ネットタレントのファンクラブヘの加入およびネットタレントの関連商品の販売の少なくとも１つに応じてネットタレントのランク付けを行うことにより、ネットタレントのランク付けにタレントの人気を反映させることができる。
また、ファンクラブヘの加入または関連商品の販売が行われたときにネットタレントとして登録されたタレント志望者へ電子マネーを用いてペイバックを行うことにより、タレント志望者は人気に応じた収入を得ることができる。
また、ユーザ端末からネットタレントのランク毎にアクセスできるようにすることにより、タレント事務所やプロダクションのユーザ端末からタレントとして有望な人材を容易に発掘することができる。よって、従来タレントのスカウトに必要であった労力と費用を軽減することができる。
【００３７】
また、スカウトマンの端末にスカウトマンに対する苦情を処理するスカウトマン管理機構を設けることにより、スカウトの質の向上を図ることができる。
また、スカウトマンの端末にスカウトマン登録機構を設け、スカウトマンを登録することにより、スカウトマンの質を確保することができ、また登録スカウトマンを公開することにより、スカウトマンの認知度と信用度を上げ、スカウトの効率化を図ることができる。
また、タレント登録装置にタレント志望者の心と体のケアを行うケア手段を設けることにより、タレント志望者の向上に役立てることができる。
【図面の簡単な説明】
【図１】本発明の一実施の形態にかかるタレント登録装置を含むシステムの全体構成を示すブロック図である。
【図２】タレント登録装置の一構成例を示すブロック図である。
【図３】図１に示したシステム全体の動作を概念的に示す説明図である。
【図４】タレント志望者の登録用端末からタレント志望の登録を行う際の動作の流れを示すフローチャートである。
【図５】ユーザ端末からタレント情報の閲覧を行う際の動作の流れを示すフローチャートである。
【図６】タレント登録装置のタレント支援システム部によるタレントのランク付け方法の流れを示すフローチャートである。
【符号の説明】
１０…タレント事務所が運営するタレント登録装置、１１…入出力制御部、１２…コンテンツ制御部、１３…プログラム蓄積部、１４…タレント支援システム部、１５…商品販売支援システム部、１６…データ蓄積部、１７…ｅ決済処理部、２１…タレント志望者の登録用端末、２２…スカウトマンの登録用端末、３０…閲覧者のユーザ端末、３１…一般のユーザ端末、３２…ファンクラブ会員のユーザ端末、３３…他のタレント事務所のユーザ端末、４０…ネットワーク、５１…ネットタレント、５２…ネットアイドル、５３…ネットスター。
【図１】
2004171432.tif 000003
【図２】
2004171432.tif 000004
【図３】
2004171432.tif 000005
【図４】
2004171432.tif 000006
【図５】
2004171432.tif 000007
【図６】
2004171432.tif 000008